(57)【要約】【課題】  大掛かりなシステム構成をする必要がなく、多くの編集時間や労力を費やすことなく、実際の音圧に合致した直接音および反射音の出力制御を行うことができる音声調整卓を提供する。【解決手段】  音声調整卓１は、音源から聴取者までの距離感の制御と、当該聴取者が聴取する音から音源の方向を定位させる制御と、当該音源から発せられた直接音が反射した反射音を生成するための制御とを連動させ、前記聴取者の周囲に配置した複数のスピーカの出力を制御する音声調整卓１であって、距離フィルタ９と、直接音側可変減衰器１１と、反射音側可変減衰器１３と、方向定位器１５と、リバーブ回路１７と、連動制御部２３と、操作子２５と、を備えた。【選択図】      図１
2005223646.tif 000002
【特許請求の範囲】
【請求項１】
音源から聴取者までの距離感の制御と、当該聴取者が聴取する音から当該音源の方向を定位させる制御とを行う音声調整卓であって、
前記音源の位置を示す位置情報を入力すると共に、前記音源が移動する軌跡を入力する操作手段と、
この操作手段で入力された軌跡から前記距離感と前記方向の定位とがそれぞれ制御される非制御手段の制御量を解析する解析手段と、
この解析手段で解析された制御量を記憶する記憶手段と、
を備えることを特徴とする音声調整卓。
【請求項２】
入力された複数の音声信号毎に、音量と音質との少なくとも一方を調整する音声調整卓であって、
前記音量と前記音質との少なくとも一方を調整する非制御手段と、
この非制御手段を、任意の時間間隔と任意の制御量とで制御する制御データを記憶する制御データ記憶手段と、
この制御データ記憶手段に記憶されている制御データを指定する連動操作手段と、
この連動操作手段で指定された制御データを、前記制御データ記憶手段から任意の速さで読み出して、前記非制御手段を連動して制御する連動制御手段と、
を備えることを特徴とする音声調整卓。
【請求項３】
前記聴取者の位置と前記非制御手段で制御された音を出力するスピーカの位置との配置関係、前記連動制御手段による制御結果および前記音源が移動した軌跡を表示する表示手段を備えることを特徴とする請求項２に記載の音声調整卓。
【請求項４】
音源から聴取者までの距離感の制御と、当該聴取者が聴取する音から当該音源の方向を定位させる制御とを行い、当該音源から発せられた直接音が反射した反射音と当該直接音とを混合する音声調整卓であって、
前記音源の位置を示す位置情報を入力すると共に、前記音源が移動する軌跡を入力する操作手段と、
前記位置情報に基づいて、音源から発せられた直接音と、この直接音が反射した反射音との距離感を制御する距離減衰制御手段と、
前記位置情報に基づいて、前記音源の方向を定位させる制御をする方向定位制御手段と、
前記音源から発せられた直接音から反射音を生成する反射音制御手段と、
前記距離減衰制御手段と、前記方向定位制御手段と、前記反射音制御手段とを連動させて制御する連動制御手段と、
この連動制御手段で制御された前記直接音および前記反射音を、前記複数のスピーカに割り当てて出力する出力手段と、
を備えることを特徴とする音声調整卓。
【発明の詳細な説明】
【技術分野】
【０００１】
本発明は、入力された音響信号に様々なデジタル信号処理を施す音声調整卓に関する。
【背景技術】
【０００２】
従来、音声調整卓（例えば、特許文献１参照）は、音源から発せられた直接音（音響信号）にデジタル信号処理を施すことによって、音源から聴取者までの距離感と、音源から発せられた直接音の方向と、音響空間をなす反射面で当該直接音が反射した反射音と当該直接音と比率とを制御している。
【０００３】
そして、音源から聴取者までの距離感は、距離減衰制御素子（フィルタ等）および反射音制御素子（リバーブ回路等）によって制御されており、音源の方向は、方向定位制御素子によって、制御されている。つまり、音源から聴取者までの距離感と、音源の方向とは、個別（別々）に制御されている。
【０００４】
従来の音声調整卓において、これらの距離感の制御と方向の制御とでは、それぞれ制御した制御結果に、タイムコードと呼ばれる時間情報を付加して記録（タイムコード上に記録）し、それぞれの制御を繰り返し実行することで、所望の特性を得ていた。
【０００５】
つまり、従来の音声調整卓によって、音源の移動を表現する場合、距離減衰制御素子によるフィルタ機能、可変減衰制御素子（減衰器等）によるレベル減衰機能、方向定位制御素子による方向定位機能、反射音制御素子によるリバーブ制御機能（リバーブ制御量の調整）を同時に、或いは、複数のチャンネル（他の音源から発せられた音声信号を制御する入力チャンネル）を同時に制御する必要があったので、オートメーション機能（タイムコードオートメーション）を用いて実現していた。
【０００６】
さらに、従来の音声調整卓によって、音源の移動を表現して記憶する場合、フィルタ機能による調整量、レベル減衰機能によるレベル減衰量、方向定位機能による制御結果、リバーブ制御機能によるリバーブ制御量を同時に、或いは、複数のチャンネルを同時に、同一のタイムコードのオートメーションデータとして記憶する必要があった。
【０００７】
また、従来の音声調整卓では、グルーピングとして、任意のフェーダに他のチャンネルのフェーダが連動する機能があり、この機能を使用した場合、任意のフェーダに、他のフェーダが追従して、複数の音源を同時に移動させることが可能である。しかし、この機能は、任意の時間の連動は保持できるが、各フェーダの時間軸方向の連動は不可能であり、この連動を実現するためにタイムコードのオートメーションデータが必要になる。
【０００８】
ところで、ＨＲＴＦ（Ｈｅａｄ  Ｒｅｌａｔｅｄ  Ｔｒａｎｓｆｅｒ  Ｆｕｎｃｔｉｏｎ：頭部伝達関数）を用いたバイノーラルサウンド生成用の機器は、ヘッドホン受聴による立体音場を再現するものであり、ＨＲＴＦを生成するために、聴取者の位置を中心（センター）に表示させて、立体音場を設定する操作パネルを備えている。
【特許文献１】特開２００１−１３４２８１号公報（段落００１５〜００３４、図１）
【発明の開示】
【発明が解決しようとする課題】
【０００９】
しかしながら、従来の音声調整卓におけるオートメーション機能は、音源から聴取者までの距離感と、音源の方向とは、個別（別々）に制御されているので、操作が複雑であり、収録スタジオ等の多くのリソース（機材））が必要であるため、音声調整卓を構成するのに大掛かりなシステム構成となってしまうという問題がある。これらの機能、つまり、フィルタ機能、レベル減衰機能、方向定位機能、リバーブ制御機能を１つの音声調整卓で複数備えて、それぞれの機能によって、任意のタイミングで直接音および反射音を再生することは不可能であった。
【００１０】
また、従来の音声調整卓によって、音源の移動を表現して記憶する場合、１つの機能を制御して得られた結果であるパラメータ（音量レベル、各スピーカからの出力音の出力タイミング、反射音への送り）を１つずつ、オートメーションデータとして記憶していかなければならず、多くの編集時間や手間（労力）がかかるという問題がある。さらに、各パラメータをタイムコードに同期させなければならず、操作が複雑になるという問題がある。しかも、従来の音声調整卓では、それぞれの機能が、当該音声調整卓を操作する操作者にとって、感覚的にわかりずらいものであった。つまり、従来の音声調整卓を用いて、音の編集を行う際に、当該音声調整卓の操作者が扱うフィルタ等の制御量と、距離との関係に一体感が無く、すなわち、操作者が操作する音の感覚的な変化と、表示画面上の表示との関連性が希薄であった。
【００１１】
なお、最近の立体音響（３Ｄサウンド）を生成する効果機器では、フィルタ機能、レベル減衰機能、方向定位機能、リバーブ制御機能を制御して得られる結果であるパラメータを、ｘｙ平面上に表示されるグラフ作成ツールで作成できるものも存在するが、各パラメータが作成された結果、これらのパラメータがどのように制御されているのかが不明になってしまうので、当該パラメータを瞬時に微調整したい場合には不向きである。
【００１２】
さらに、従来のバイノーラルサウンド生成用の機器では、視覚的にわかりやすい操作パネルを備えており、音源の方向を表現するのには優れているものの、出力するスピーカの位置を限定していないので、どのスピーカからどのくらいのレベルの音が出力されているのか視認することができないという問題がある。
【００１３】
そこで、本発明では、前記した問題を解決し、大掛かりなシステム構成をする必要がなく、多くの編集時間や労力を費やすことなく、実際の音圧に合致した直接音および反射音の出力制御を行うことができる音声調整卓を提供することを目的とする。
【課題を解決するための手段】
【００１４】
前記課題を解決するため、請求項１記載の音声調整卓は、音源から聴取者までの距離感の制御と、当該聴取者が聴取する音から当該音源の方向を定位させる制御とを行う音声調整卓であって、操作手段と、解析手段と、記憶手段と、を備える構成とした。
【００１５】
かかる構成によれば、音声調整卓は、操作手段によって、音源の位置を示す位置情報を入力する。この音源の位置を示す位置情報は、二次元平面上のｘ，ｙ座標によって与えられるものである。続いて、音声調整卓は、解析手段によって、距離感と方向定位とがそれぞれ制御される非制御手段の制御量を解析する。この非制御手段は、距離感を制御する距離感制御手段（距離フィルタ）、音源から発せられた直接音を制御する直接音制御手段（直接音側可変減衰器）、直接音が反射した反射音を制御する反射音制御手段（反射音側可変減衰器）である。なお、非制御手段はこれらに限定されず、音声調整卓上の種々の手段（回路）であってよく、例えば、ヘッドアンプ、パン回路等であってもよい。また、解析手段は、音源の位置を示す位置情報を極座標に変換し、この大きさ成分にあった制御量（例えば、パラメータ）を、例えば、予め各パラメータの関係が設定されている解析用データテーブルを参照して、割り出すものである。そして、音声調整卓は、記憶手段によって、解析手段で解析した制御量を記憶する。
【００１６】
なお、音源を移動させる場合には、操作手段によって位置情報を変更する（書き換える）、或いは、タッチパネル等のインターフェースを用いて、音源の軌跡を描画する。例えば、描画された軌跡を任意の間隔（タイムコード等のある決まった間隔、または、変化する毎）に区切り、各座標（ポイント）における非制御手段の制御量（パラメータ）を求め、それぞれに番号を付して、記憶手段に記憶する。この際に解析した制御量を非制御手段に出力して、音源からの音を制御することは可能である。また、描画された軌跡を、操作手段であるタッチパネル等のインターフェースを用いて軌跡をなぞることで、非制御手段による制御を再現することが可能である。
【００１７】
請求項２記載の音声調整卓は、入力された複数の音声信号毎に、音量と音質との少なくとも一方を調整する音声調整卓であって、非制御手段と、制御データ記憶手段と、連動操作手段と、連動制御手段と、を備えることを特徴とする。
【００１８】
かかる構成によれば、音声調整卓は、連動操作手段によって、制御データ記憶手段に記憶されている制御データを指定する。この際に、音声調整卓は、連動制御手段によって、連動操作手段で指定された制御データを、制御データ記憶手段から任意の速さで読み出して、音量と音質との少なくとも一方を調整する非制御手段を連動して制御する。なお、連動操作手段は、現実のフェーダ等で構成してもよいし、表示画面上の仮想のフェーダ等で構成してもよい。
【００１９】
例えば、任意の非制御手段（距離感制御手段、直接音制御手段、反射音制御手段、方向定位制御手段）の制御データが、連動操作手段により指定される。そして、連動制御手段によって任意の速度で読み出されて非制御手段が連動されるので、１つの連動操作手段および連動制御手段により音源が任意の速さで移動する様子を再現することができる。また、この連動操作手段に、時間データを保持させることで、スイッチ等のトリガを契機に、音源からの音を一定の速度で再生させることも可能である。さらに、この時間データがタイムコードである場合、従来と同様にタイムコードオートメーションを可能である。
【００２０】
なお、非制御手段は、距離感制御手段、直接音制御手段、反射音制御手段または方向定位制御手段に限定されなくてもよく、非制御手段は、複数のチャンネルを兼用してもよい。この場合、従来のグルーピング機能に設定制御量が加わることになり、複数の音源からの音が一つの調整手段によって、任意の速さで再生することが可能になる。
【００２１】
請求項３記載の音声調整卓は、請求項２に記載の音声調整卓において、前記聴取者の位置と前記非制御手段で制御された音を出力するスピーカの位置との配置関係、前記連動制御手段による制御結果および前記音源が移動した軌跡を表示する表示手段を備えることを特徴とする。
【００２２】
かかる構成によれば、音声調整卓は、表示手段によって、聴取者の位置と非制御手段で制御された音を出力するスピーカの位置との配置関係、例えば、聴取者の位置（聴取位置）を中心点（基準点）にした円周上に８つのスピーカを等間隔に配置した配置図を表示する。また、この表示手段によって、連動制御手段による制御結果を折れ線グラフとして表示させ、さらに、操作手段で入力された位置情報に基づき変化する音源の軌跡、或いは、タッチパネル等で描画された音源の軌跡を表示させる。
【００２３】
請求項４記載の音声調整卓は、音源から聴取者までの距離感の制御と、当該聴取者が聴取する音から当該音源の方向を定位させる制御とを行い、当該音源から発せられた直接音が反射した反射音と当該直接音とを混合する音声調整卓であって、操作手段と、距離減衰制御手段と、方向定位制御手段と、反射音制御手段と、連動制御手段と、出力手段と、を備える構成とした。
【００２４】
かかる構成によれば、音声調整卓は、操作手段によって、音源の位置を示す位置情報を入力する。続いて、この音声調整卓は、距離減衰制御手段によって、操作手段で入力された位置情報に基づいて、距離フィルタによる高域減衰と、音源から発せられた直接音と、この直接音が反射した反射音との直間比を調整することによって生じる距離感を制御する。つまり、この距離感は、高域減衰と、直接音と反射音（間接音）との比率である直間比とに基づいて制御される。
【００２５】
そして、この音声調整卓は、方向定位制御手段によって、位置情報に基づいて、音源の方向を定位させる制御をする。この音源の方向の定位は、複数のスピーカから出力される直接音および反射音の出力箇所を変更すること、並びに、直接音および反射音の音量レベルを調整することで、なされるものである。また、この音声調整卓は、反射音制御手段によって、直接音から反射音を生成する。この反射音は、音源の配置されている音響空間の反射面の反射係数によって変化するものである。
【００２６】
さらに、この音声調整卓は、連動制御手段によって、距離減衰制御手段による制御結果と、方向定位制御手段による制御結果と、反射音制御手段による制御結果とを連動させて、直接音および反射音の出力タイミング、出力箇所、音量レベルを制御する。つまり、この連動制御手段によって、直接音と反射音とを、いつのタイミングで、どこのスピーカから、どれだけの音量レベルで、どの程度混合させて出力させるのかが決定される。その後、この音声調整卓は、出力手段によって、連動制御手段で制御された直接音および反射音を、複数のスピーカに出力する。
【発明の効果】
【００２７】
請求項１に記載の発明によれば、従来感覚的に行っていた距離、方向の調整作業を、解析手段によって解析された制御量を用いることで、大掛かりなシステム構成をする必要がなく、多くの編集時間や労力を費やすことなく、実際の音圧に合致した直接音および反射音の出力制御を行うことができる。
【００２８】
請求項２に記載の発明によれば、連動操作手段で指定した制御データの変化が、連動制御手段によって、任意の速度で連動させているので、従来タイムコードオートメーションにより、実現していた連動作業を容易に実現することができる。
【００２９】
請求項３に記載の発明によれば、表示手段によって、聴取者の位置（聴取位置）とスピーカの位置との配置関係、連動制御手段による制御結果および音源の軌跡が表示され、当該音声調整卓を操作する操作者は、聴取位置、スピーカ、制御結果および音源を視覚的にとらえることができ、感覚的にわかりやすくなるので、使い勝手が向上する。
【００３０】
請求項４に記載の発明によれば、操作手段で描画された軌跡から割り出された、距離減衰制御手段、方向定位制御手段および反射音制御手段を制御するパラーメタが連動制御手段によって連動されるので、編集作業の効率が向上する。
【発明を実施するための最良の形態】
【００３１】
次に、本発明の実施形態について、適宜、図面を参照しながら詳細に説明する。
図１は音声調整卓のブロック図である。この図１に示すように、音声調整卓１は、音源から聴取者までの距離感の制御と、音源の方向定位の制御と、直間比の制御とを連動して行うもので、ヘッドアンプ３と、イコライザ５と、フェーダ７と、距離フィルタ９（距離減衰制御手段）と、直接音側可変減衰器１１と、反射音側可変減衰器１３と、方向定位器１５（方向定位制御手段）と、リバーブ回路１７（反射音制御手段）と、混合手段１９と、第１記憶部２１と、連動制御部２３（連動制御手段）と、操作子Ａ２５（２５ａ）（操作手段）と、操作子Ｂ２５（２５ｂ）（連動操作手段）と、表示器Ａ２７（２７ａ）（表示手段）と、表示器Ｂ２７（２７ｂ）（表示手段）と、解析器２９（解析手段）と、解析用データベース３１と、第２記憶部３３（記憶手段）と、第３記憶部３５（制御データ記憶手段）とを備えている。
【００３２】
ヘッドアンプ３は、複数のトランジスタ等によって構成されるもので、入力された音響信号（原音、直接音）を規定のレベルまで増幅する（信号のエネルギーを大きくする）ものである。
【００３３】
イコライザ５は、ヘッドアンプ３で増幅された音響信号（直接音）の音色（周波数特性）を調整（補正、変更）するものである。
【００３４】
フェーダ７は、可変抵抗等から構成されるもので、この可変抵抗の抵抗値を変化させることで、イコライザ５で音色が調整された音響信号の音量レベルを調整（総括レベル制御）するものである。つまり、音響信号の全周波数帯域（全音声周波数成分）に亘る減衰（音の距離減衰）を行うものである。
【００３５】
距離フィルタ９（距離減衰制御手段）は、フェーダ７で減衰された音響信号について、音響信号の帯域中の高域周波数成分の音量レベルを、所望の音像距離に対応するように減衰させるものである。なお、この距離フィルタ９で減衰された音響信号は、２つに分岐される。後ほど詳述する連動制御部２３から出力された制御信号（パラメータ［制御量］）に基づいて、音量レベルを調整するものである。
【００３６】
図１に戻って、音声調整卓１の構成の説明を続ける。
直接音側可変減衰器１１は、連動制御部２３から出力された制御信号（パラメータ［制御量］）に基づいて、距離フィルタ９で減衰されて分岐された音響信号の一方の音量レベル（直接音側レベル）を、減衰させるものである。なお、この直接音側可変減衰器１１は、直接音である音響信号をそのまま減衰させるものである。
【００３７】
この直接音側可変減衰器１１による距離感は、図３に示す“ｄｉｓｔａｎｃｅ”の直線によって示したように、音の圧力である音圧によって定義することができる。すなわち、図３の“ｄｉｓｔａｎｃｅ”では、図３中、右端部に示した「近傍」より右側の位置を、聴取者の位置とすると、図３中、左端部に示した「無限遠点」から「１００ｍ」までに音源が存在する場合、音圧は−３０ｄＢ一定となる。また、音源が「１００ｍ」から「３ｍ」までに存在する場合は、音圧が上昇し、音源が「３ｍ」地点に存在する場合では、０ｄＢとなる。そして、「３ｍ」から「近傍」までに存在する場合は、音圧が上昇し、音源が「近傍」地点に存在する場合では、音圧は＋１０ｄＢとなる。
【００３８】
また、“ｆａｄｅｒ（フェーダ）”（音のレベル）では、音源が聴取者から無限遠点にある場合は、音圧も−∞（無限大）ｄＢになり、音源が聴取者から１００ｍまで近づくと、音圧は０ｄＢとなり、音源が聴取者の近傍に近づいても音圧は０ｄＢのままである。
【００３９】
さらに、“ａｕｘｓｅｎｄ”（反射音送り）では、音源が無限遠点から聴取者の３ｍまで近づくまで一定であり、音源が３ｍから聴取者に近づいてくるに従い、音圧が下降し、聴取者の近傍では、音圧は−∞（無限大）ｄＢになる。
【００４０】
参考までに、聴取者（聴取位置）から音源までの距離感は、直接音、反射音（初期反射）、残響音それぞれの音量レベルと、聴取者に到達するまでの時間差とによって、決定される。
【００４１】
反射音側可変減衰器１３は、連動制御部２３から出力された制御信号（パラメータ［制御量］）に基づいて、距離フィルタ９で減衰されて分岐された音響信号の他方の音量レベル（反射音側レベル）を、減衰させるものである。なお、この反射音側可変減衰器１３は、直接音である音響信号を減衰させて、反射音を生成するリバーブ回路１７への送り（経路）に設けられたものである。
【００４２】
方向定位器１５（方向定位手段）は、連動制御部２３から出力された制御信号（パラメータ［制御量］）に基づいて、直接音側可変減衰器１１で減衰された音響信号を出力させるチャンネルに振り分けて、音源の方向定位を制御するものである。
【００４３】
リバーブ回路１７（反射音制御手段）は、連動制御部２３から出力された制御信号（パラメータ［制御量］）に基づいて、反射音側可変減衰器１３で任意の減衰量だけ減衰された音響信号から反射音（間接音）を生成（創成）するものである。この反射音（間接音）は音響信号が特定の空間で発せられた場合、当該空間を構成する壁面（反射面）で反射した際の「響きの信号」である。なお、このリバーブ回路１７では、生成された反射音が各出力チャンネル（この場合、出力される際の各スピーカ（図示せず）に接続される各バスラインを指す）に割り当てられる。
【００４４】
この実施の形態では、リバーブ回路１７は、音声調整卓１に一体的に組み込まれているが、例えば、このリバーブ回路１７を、外付けの装置（エフェクタ）として構成してもよい。また、図１に示したように、リバーブ回路１７は、１入力多出力となる。または、多入力多出力となる。なお、リバーブ回路１７が多入力多出力の場合は、このリバーブ回路１７の前段に方向定位器１５（反射音側の方向定位器）を介在させた場合である。この場合の反射音側の方向定位器は、直接音側の方向定位器１５と連動可能であり、連動制御部２３から入力される制御信号（パラメータ［制御量］）は一定（一定値）である。
【００４５】
ここで、リバーブ回路１７によるリバーブ（反射音を生成すること）と、実際に再現される音場とのリアルさについて説明しておく（沢口  真生編  サラウンド制作ハンドブック参照）。
【００４６】
リバーブ回路１７では、様々な空間が持つ音響特性に応じた反射音が生成される。この音響特性は、空間（音場）を構成する天井、床および壁面等の反射面で反射しているエネルギーの総量、すなわち、音源から発せられた原音（直接音）が反射面にぶつかって反射し、さらに、それが反射していく総量に基づいて定義することができる。つまり、音響特性は、空間（音場）の形状や複雑さ、反射面の状態、反射面の吸音特性、音源から聴取者までの距離、方向によって変化する。
【００４７】
なお、特定の空間（音場）には、特定の反射パターンが存在しているので、この音声調整卓１で処理されたデジタル音響信号を、例えば、５チャンネルのスピーカから出力させる場合、可能な限り反射パターンに近似させた反射音を生成することによって、当該デジタル音響信号を聴取する聴取者に高臨場感（リアルさ）を与えることができる。
【００４８】
さらに説明を加えると、一般的に、人間は、音の反射音成分から音の距離感（音源から聴取者までの遠近感）を感じ取ることができると言われている。一般的な室内空間では、直接音が人間の耳に到達すると、人間は、両耳間に生じる僅かな時間遅延とレベル差とによって、直接音の到来方向を検知する。そして、直接音の到達後１０ｍｓｅｃ前後遅れて反射音成分が人間の耳に到達すると、人間は、この反射音成分を距離情報としてとらえ、距離感を得る。
【００４９】
図１に戻って、音声調整卓１の構成の説明を続ける。
混合手段１９は、方向定位器１５で各出力チャンネルに割り当てられた音響信号（直接音）と、リバーブ回路１７で生成され、各出力チャンネルに割り当てられた反射音（間接音）とを混合して出力するものである。
【００５０】
第１記憶部２１は、不揮発性のメモリ等によって構成されており、入力された音響信号（原音、直接音）を記憶するものである。また、この第１記憶部２１は、連動制御部２３から出力された制御信号に従って、記憶している音響信号をヘッドアンプ３に送出する。すなわち、この第１記憶部２１に音響信号を記憶させることで、一定パターンの音響信号を逐一入力（取得）する必要がなくなる。
【００５１】
連動制御部２３（連動制御手段）は、当該音声調整卓１の操作者が操作子Ｂ２５（２５ｂ）を操作し、この操作子Ｂ２５（２５ｂ）から出力さた操作信号に基づいて、距離フィルタ９による距離感の制御と、直接音側可変減衰器１１および反射音側減衰器１３による直間比の制御と、リバーブ回路１５による反射音の生成の制御と、方向定位器１５による音源の方向定位の制御とを連動させて制御するものである。
【００５２】
つまり、この連動制御部２３は、当該音声調整卓１の操作者が操作子Ｂ２５（２５ｂ）のレバー状のデバイスやキーボード、マウス等のデバイスを使用して、表示器Ｂ２７（２７ｂ）に表示されているスライダー、表示スイッチ等を動かすことによって、音源の位置情報（時間的変化を含む位置情報（ｘ，ｙ座標））を取得し、距離フィルタ９、直接音側可変減衰器１１、反射音側減衰器１３、方向定位器１５、リバーブ回路１７それぞれに出力させるパラメータを算出し、この複数のパラメータを制御信号として出力することで、それぞれを連動制御している。つまり、この連動制御部２３で連動制御された結果は、表示器Ｂ２７（２７ｂ）に表示されることになる。
【００５３】
また、この連動制御部２３は、第１記憶部２１に制御信号を出力して、第１記憶部２１に記憶されている音響信号をヘッドアンプ３に出力させて、記憶されている音響信号を再利用させるものである。
【００５４】
操作子Ａ２５（２５ａ）（操作手段）は、ジョイスティック等のレバー状のデバイスと、キーボード、マウス等のデバイスとによって構成されており、音源の位置を示す二次元座標および音源の移動する軌跡を入力するためのものである。この操作子Ａ２５（２５ａ）が当該音声調整卓１を操作する操作者によって、操作された場合、当該操作子Ａ２５（２５ａ）から解析器２９に操作信号が出力される。
【００５５】
操作子Ｂ２５（２５ｂ）（連動操作手段）は、フェーダ等のレバー状のデバイス、または、キーボード、マウス等のデバイスによって構成されており、第３記憶部３５に記憶されている制御量（パラメータ）を操作（変更等）するものである。
【００５６】
表示器Ａ２７（２７ａ）（表示手段）は、操作子Ａ２５（２５ａ）から出力された操作信号に基づいて、聴取者の位置と、当該聴取者の周囲に配置されている複数のスピーカの位置との関係を表示画面上に表示すると共に、音源が移動した場合に、音源が移動した軌跡を表示するものである。このように表示することにより、通常、操作者が操作していたフィルタ、フェーダ等の制御量（パラメータ）を気にすることなく、距離感と方向との調整が可能となる。
【００５７】
表示器Ｂ２７（２７ｂ）（表示手段）は、操作子Ｂ２５（２５ｂ）から出力された操作信号に基づいて、各制御量（パラメータ）を、折れ線グラフ等によって表示させるものである。この折れ線グラフは、音源の向きと、反射音のレベルと、距離フィルタ９のレベルと、全体のレベルとが第３記憶部３５の中にどのような制御データとして記憶されているのかを表示するものである。さらに、これらの折れ線グラフ等は、マウス等の操作子Ｂ２５（２５ｂ）を用いて編集することで、書き換えが可能である。
【００５８】
また、この表示器Ｂ２７（２７ｂ）には、直接音、反射音の音量レベル、減衰レベル、距離とを調整する複数のスライダ（スライドさせる調整スイッチ（つまみ））が表示される。このスライダ（時間スライダ）は、時間スライダデータによって、直接音および間接音の距離感、方向定位、反射音の生成等を自動的に制御するオートメーションデータのそれぞれに関連付けられて設定されている（詳細は、図４を用いて後記することとする）。このスライダ（時間スライダ）を、操作子Ｂ２５（２５ｂ）のマウス等を使用して、調整（スライド）させることで、連動制御部２３が、距離感の制御、方向定位の制御および直接音と反射音との直間比を、時間経過に伴って調整して行うことができる。
【００５９】
また、この表示器Ｂ２７（２７ｂ）は、音源の向きについて、よりわかりやすく表示するために、複数のスピーカと音源が定位された方向との位置関係を表示することで、操作性を向上させるものである。
【００６０】
解析器２９（解析手段）は、操作子Ａ２５（２５ａ）から入力された音源（定位させる音像）の位置を示す二次元座標（ｘ，ｙ）と、解析用データベース３１に記憶されている解析用データ（角度関数データ、基準点データ）とに基づいて、音源の方向定位と大きさ（音量レベルの大きさ）とを算出し、算出した結果（パラメータ［制御量］）を、第２記憶部３３または第３記憶部３５に出力するもので、角度関数設定手段と、制御量算出手段とを備えている。
【００６１】
角度関数設定手段は、入力された二次元座標（ｘ，ｙ）と、解析用データベース３１に記憶されている角度関数データと基準点データとに基づいて、角度関数を設定するものである。この角度関数は、基準点で直交する基準線（ｘ軸、ｙ軸）と、基準点から入力された二次元座標までを結んだ直線とによってなす角度θを変数としたものである。
また、この角度関数において、ｒは基準点から二次元座標までの距離である。
【００６２】
角度関数データは、角度θによって、定義される角度関数のサンプルである。また、基準点データは、聴取者の位置を示す（ｘ，ｙ）座標で表されるものである。
【００６３】
制御量算出手段は、角度関数設定手段で設定された角度関数と、解析用データベース３１に記憶されているスピーカ位置データ（スピーカの位置情報）と、レベル算出対応データとに基づいて、連動制御部２３を介して出力される各非制御手段（距離フィルタ９、直接音側可変減衰器１１、反射音側可変減衰器１３および方向定位器１５）への制御量を算出するものである。なお、この制御量算出手段では、ファンタム音像（再生音場）を定位させるために、１つまたは２つのスピーカから出力音を出すように、パラメータ（制御量）が算出される。
【００６４】
レベル算出対応データは、入力された音源の位置を示す２次元座標（ｘ，ｙ）と、音量レベルとの関係を定義したものである。
【００６５】
なお、この解析器２９では、音源の位置が移動した場合に、この音源の移動に伴って、逐次、角度関数設定手段により解析用データベース３１から角度関数データが読み込まれ、角度関数が設定し直され、制御量算出手段によりスピーカ位置データと、レベル算出対応データとが読み出されて、各非制御手段（距離フィルタ９、直接音側可変減衰器１１、反射音側可変減衰器１３および方向定位器１５）への制御量が設定し直され、第２記憶部３３または第３記憶部３５に出力される。
【００６６】
解析用データベース３１は、不揮発性メモリ、ハードディスク等によって構成されており、角度関数データと、基準点データと、スピーカ位置データと、レベル算出対応データとを記憶しているものである。
【００６７】
第２記憶部３３（記憶手段）は、不揮発性メモリ、ハードディスク等によって構成されており、解析器２９によって算出されたパラメータ（制御量）を記憶するものである。この第２記憶部３３に記憶されているパラメータ（制御量）は、操作子Ａ２５（２５ａ）から出力された操作信号に従って、連動制御部２３に出力される場合がある。
【００６８】
第３記憶部３５（制御データ記憶手段）は、不揮発性メモリ、ハードディスク等によって構成されており、予め設定された（外部入力された）制御量である制御データを記憶するものである。この第３記憶部３５に記憶されているパラメータ（制御データ）は、操作子Ｂ２５（２５ｂ）から出力された操作信号に従って、連動制御部２３に出力される。
【００６９】
この音声調整卓１によれば、操作子Ａ２５（２５ａ）によって、音源の位置を示す位置情報が入力され、この操作子Ａ２５（２５ａ）で入力された位置情報が解析器２９で制御信号（パラメータ［制御量］）とされ、この制御信号（パラメータ［制御量］）に基づいて、連動制御部２３により、距離フィルタ９と、直接音側可変減衰器１１と、反射音側可変減衰器１３とについて、全周波数帯域に亘る音量レベルと、帯域中の高域周波数成分の音量レベルとが調整されることで、音源から発せられた直接音と、この直接音が反射した反射音とによって生じる距離感が制御される。また、方向定位器１５によって、制御信号（パラメータ［制御量］）に基づいて、音源の方向定位が制御され、リバーブ回路１５によって、直接音から反射音が生成される。
【００７０】
このため、解析器２９で解析されたパラメータ（制御量）が連動制御部２３で、各非制御手段を連動させて制御するので、大掛かりなシステム構成をする必要がなく、操作子Ａ２５（２５ａ）によって操作者が操作し、制御された結果が表示器Ａ２７（２７ａ）に、感覚的にわかりやすく表示されるので、多くの編集時間や労力を費やすことなく、実際の音圧に合致した直接音および反射音の出力制御を行うことができる。
【００７１】
また、この音声調整卓１によれば、音源が任意の地点から別の任意の地点に任意の速度で移動した場合、表示器２７Ｂ（２７ｂ）に表示されているスライダを操作子Ｂ２５（２５ｂ）のマウス等で操作することで、連動制御部２３によって、出力音（直接音および間接音）が制御されるので、多くの編集時間や労力を費やすことなく、実際の音圧に合致した直接音および反射音の出力制御を行うことができる。
【００７２】
さらに、この音声調整卓１によれば、表示器Ａ２７（２７ａ）によって、聴取者の位置と複数のスピーカの位置との配置関係と、解析器２９による解析結果であるパラメータをグラフ化した折れ線グラフと、位置情報に基づき変化する音源の軌跡・描画された音源の軌跡とを表示させるので、音声調整卓１の操作者には音源を操作する感覚が得やすく、多くの編集時間や労力を費やすことなく、実際の音圧に合致した直接音および反射音の出力制御を行うことができる。
【００７３】
（音声調整卓の動作）
次に、図２に示すフローチャートを参照して、音声調整卓１の動作について説明する（適宜、図１参照）。
まず、音声調整卓１のヘッドアンプ３に音響信号を入力する（Ｓ１）。すると、このヘッドアンプ３は、入力された音響信号を規定のレベルまで増幅する（Ｓ２）。続いて、音声調整卓１は、イコライザ５によって、音響信号の高域音声周波数成分を減衰させる（Ｓ３）。また、音声調整卓１は、フェーダ７によって、全音声周波数成分を減衰させる（Ｓ４）。
【００７４】
続いて、音声調整卓１には、操作子Ａ２５（２５ａ）によって、音源の位置を示す二次元座標が入力される（Ｓ５）。すると、音声調整卓１は、解析器２９の角度関数設定手段によって、解析用データベース３１から基準点データを読み出す（Ｓ６）と共に、角度関数データを読み出す（Ｓ７）。なお、この際に、表示器Ａ２７（２７ａ）には、聴取者の位置と、スピーカの位置との関係を示すグラフィックが表示されると共に、音源の位置を示す（ｘ，ｙ）座標が表示されている。
【００７５】
そして、音声調整卓１は、解析器２９の角度関数設定手段によって、角度関数を設定し（Ｓ８）、音源が移動したか、つまり、操作子Ａ２５（２５ａ）から、音源の移動を示す軌跡が描かれたことを示す操作信号が出力されたか否かが判定される（Ｓ９）。音源が移動したと判定された場合（Ｓ９、Ｙｅｓ）には、音声調整卓１は、表示器Ａ２７（２７ａ）の表示を変更させ、つまり、音源が移動した軌跡を表示させ（Ｓ１０）、Ｓ７に戻る（再び、角度関数データを読み出す）。
【００７６】
音源が移動していないと判定された場合（Ｓ９、Ｎｏ）、音声調整卓１は、解析器２９の制御量算出手段によって制御量を算出し、距離フィルタ９による音量レベル（全音声周波数成分）と、直接音側可変減衰器１１による直接音の成分と、反射音側可変減衰器１３による反射音となる成分とを連動させ、調整（連動制御）する（Ｓ１１）。
【００７７】
そして、音声調整卓１は、混合手段１９によって、方向定位器１５およびリバーブ回路１７から出力された直接音および反射音を、混合して出力する（Ｓ１２）。
【００７８】
（オートメーションデータと制御信号［パラメータ］について）
次に、図４、図５を参照して、オートメーションデータと、音源が移動した場合（音源の移動を操作子Ｂ２５（２５ｂ）で描画した場合）に連動制御部２３で出力される制御信号（パラメータ［制御量］）との関連について説明する（適宜、図１参照）。
【００７９】
この図４に示すように、操作子Ｂ２５（２５ｂ）で制御され、且つ、表示器Ｂ２７（２７ｂ）に表示されるスライダは、複数（ここではＮ個）のオートメーションデータを備えており、各オートメーションデータには、同じ番号同士を関連付けた時間スライダデータが割り当てられている。
つまり、表示器Ｂ２７（２７ｂ）に表示されている「時間スライダ」を変化させること（スライドさせること）で、オートメショーションデータが変更されることになる。
【００８０】
なお、このオートメーションデータは、任意のパラメータ（制御量）でもよい。また、このオートメーションデータは、一つのチャンネルでなく、複数のチャンネルに跨っていてもよい。また、オートメーションデータは、タイムコードと関連づけしてもよく、この場合、通常のタイムコードオートメーションデータとして取り扱うことが可能である。
さらに、音声調整卓１上の任意のスイッチ等のトリガで、このオートメーションデータが一定のスピードで再現するようにしてもよい。
【００８１】
また、図５に示すように、表示器Ａ２７（２７ａ）に聴取者の聴取位置Ｐと、音源Ｑの軌跡を表示させた場合、つまり、操作子Ａ２５（２５ａ）のマウス等を使用して、音源Ｑの軌跡を描画させた場合、反射音側可変減衰器１３の出力は、距離ｒの関数となり、一定（コンスタント）の推移から減衰し、距離フィルタ９の出力も、距離ｒの関数となり、ある距離から一定（コンスタント）となり、フェーダ７の出力も、距離ｒの関数となり、一定（コンスタント）となる。
【００８２】
また、方向定位器１５への出力は、角度θの関数となり、角度θにより出力するスピーカが選択されることとなる。なお、角度θが０°、４５°、９０°、１３５°、１８０°、２２５°、２７０°、３１５°の場合、複数のスピーカの中から１つのスピーカが選択される。角度θがそれ以外の場合には、複数のスピーカの中から近傍の（隣接する）２つのスピーカが選択され、出力される出力音は２スピーカ間の分圧として算出される。
【００８３】
操作子Ａ２５（２５ａ）から入力された位置情報が、例えば、図５に示すような軌跡として描かれた場合に作成されるオートメーションデータは、タイムコード等において、任意の間隔が生じた場合または任意の変化があった場合に毎に再計算され、第２記憶部３３に記憶される。
【００８４】
（表示器に表示される表示画像について）
次に、図６〜図９を参照して、表示器Ａ２７（２７ａ）または表示器Ｂ２７（２７ｂ）に表示される表示画像（スライダ等）について説明する（適宜、図１参照）。
図６〜図９は、表示器２３に表示されている表示画像であり、これらの表示画像は、パーソナルコンピュータで採用されている「ウインドウ」と同様の機能を有しており、図６がメインウインドウを示したものであり、図７がオートパンウインドウ（表示器Ｂ２７（２７ｂ）に表示されるウインドウ）を示したものであり、図８、図９がトレースウインドウ（表示器Ａ２７（２７ａ）に表示されるウインドウ）を示したものである。
【００８５】
図６に示すように、メインウインドウでは、「ＦＩＬＥ」名で編集している音響信号ファイルの名前を表示して、反射音の送りを調整する「ＡＵＸ」、距離感を調整する「ＤＩＳＴＡＮＣＥ」、減衰レベルを調整する「ＬＥＶＥＬ」の時間スライダと、自動的にパン制御をする「ＡＵＴＯ」のジョグダイヤルと、開始時刻を示す「ＳＴＡＲＴ」とが表示されている。
【００８６】
図７に示すように、オートパンウインドウでは、自動的にパン制御をする「ＡＵＴＯ」のジョグダイヤルと、音源の位置を示す「ＰＯＳＩＴＩＯＮ」、反射音の送りを示す「ＡＵＸ」、音源から聴取者までの距離を示す「ＤＩＳＴＡＮＣＥ」および減衰レベルを示す「ＬＥＶＥＬ」の折れ線グラフとが表示されている。
【００８７】
図８に示すように、トレースウインドウでは、聴取者の位置を中心に、当該聴取者と、８個のスピーカと、音源の軌跡とを表示しており、図９では、聴取者の位置と、音源の軌跡とを表示している。
【００８８】
以上、本発明の実施形態について説明したが、本発明は前記実施形態には限定されない。例えば、本実施形態では、音声調整卓１として説明したが、この音声調整卓１の各構成の処理を汎用的なコンピュータ言語で記述したプログラム（音声調整プログラム）として捉えることも可能である。この場合、音声調整卓１と同様の効果を得ることができる。
【図面の簡単な説明】
【００８９】
【図１】実施形態に係る音声調整卓のブロック図である。
【図２】図１に示した音声調整卓の動作を説明したフローチャートである。
【図３】音源からの聴取位置と音圧との関係について説明した図である。
【図４】オートメーションデータと制御信号（パラメータ）について説明した図である。
【図５】表示器の表示と解析器の解析結果による制御信号（パラメータ）について説明した図である。
【図６】表示器に表示されるウインドウ（メインウインドウ）を説明した図である。
【図７】表示器に表示されるウインドウ（オートパンウインドウ）を説明した図である。
【図８】表示器に表示されるウインドウ（トレースウインドウ）を説明した図である。
【図９】表示器に表示されるウインドウ（トレースウインドウ）を説明した図である。
【符号の説明】
【００９０】
１              音声調整卓
３              ヘッドアンプ
５              イコライザ
７              フェーダ
９              距離フィルタ（距離減衰制御手段）
１１            直接音側可変減衰器
１３            反射音側可変減衰器
１５            方向定位器（方向定位制御手段）
１７            リバーブ回路（反射音制御手段）
１９            混合手段
２１            第１記憶部
２３            連動制御部（連動制御手段）
２５（２５ａ）  操作子Ａ（操作手段）
２５（２５ｂ）  操作子Ｂ（連動操作手段）
２７（２７ａ）  表示器Ａ（表示手段）
２７（２７ｂ）  表示器Ｂ（表示手段）
２９            解析器（解析手段）
３１            解析用データベース
３３            第２記憶部（記憶手段）
３５            第３記憶部（制御データ記憶手段）
【図１】
2005223646.tif 000003
【図２】
2005223646.tif 000004
【図３】
2005223646.tif 000005
【図４】
2005223646.tif 000006
【図５】
2005223646.tif 000007
【図６】
2005223646.tif 000008
【図７】
2005223646.tif 000009
【図８】
2005223646.tif 000010
【図９】
2005223646.tif 000011